(57)【特許請求の範囲】
【請求項１】
基礎床面上に設置される床支持材と、その床支持材上に載置される床材と、その床材の上側からその床材に挿通されるネジ部材と、前記床材を前記床支持材に固定するための床固定部材とからなり、
前記床材は、前記床支持材と当接する当接部を備えており、その当接部が前記床支持材に載せられるようにして、その床支持材に載置され、
前記床固定部材は、前記床材に挿通された前記ネジ部材が螺合するネジ孔部と、前記床支持材の裏面と対向する対向部としての下部片と、前記ネジ部材のねじ込み前に前記床支持材の上面に載る上部片と、その上部片と前記下部片とを繋ぐ側部片とを備えて、それら上部片と下部片と側部片により断面略コの字形状に形成され、前記床支持材の側方からその床支持材に、前記断面略コの字の開口側を向けるようにして装着可能であって、
前記ネジ孔部への前記ネジ部材のねじ込みにより、前記当接部と前記下部片とで前記床支持材を挟み込むように、前記床固定部材が上昇移動して、前記床材が前記床支持材に固定されることを特徴とする床構造。
【請求項２】
前記床支持材は、根太材からなり、
前記根太材は、本体部と、その本体部から上方に鉛直に延びて前記床材が載置される第１の突条部と、本体部の側面から側方に突出する第２の突条部とを備えており、
前記上部片は、前記ネジ部材のねじ込み前に、前記第１の突条部の上面に載り、前記下部片は、前記第２の突条部の裏面と対向することを特徴とする請求項１に記載の床構造。
【請求項３】
前記床固定部材は、前記上部片の先端から折り曲げられて下方に若干延びる他の側部片を備え、
前記ネジ部材のねじ込み前に、前記他の側部片が前記床支持材に係合して、前記上部片の前記他の側部片側および前記他の側部片は、前記床支持材に支持される被支持部となっていることを特徴とする請求項１に記載の床構造。
【請求項４】
基礎床面上に設置された床支持材と当接する当接部を備えており、その当接部が前記床支持材に載せられるようにして、その床支持材に載置される床材を、前記床支持材に固定するための床固定部材であって、
前記床材の上側からその床材に挿通されたネジ部材が螺合するネジ孔部と、前記床支持材の裏面と対向する対向部としての下部片と、前記ネジ部材のねじ込み前に前記床支持材の上面に載る上部片と、その上部片と前記下部片とを繋ぐ側部片とを備えて、それら上部片と下部片と側部片により断面略コの字形状に形成され、前記床支持材の側方からその床支持材に、前記断面略コの字の開口側を向けるようにして装着可能であって、
前記ネジ孔部への前記ネジ部材のねじ込みにより、前記当接部と前記下部片とで前記床支持材を挟み込むように上昇移動して、前記床材を前記床支持材に固定することを特徴とする床固定部材。
【請求項５】
前記上部片の先端から折り曲げられて下方に若干延びる他の側部片を備え、
前記ネジ部材のねじ込み前に、前記他の側部片が前記床支持材に係合して、前記上部片の前記他の側部片側および前記他の側部片は、前記床支持材に支持される被支持部となっていることを特徴とする請求項４に記載の床固定部材。
【発明の詳細な説明】
【０００１】
【発明の属する技術分野】
この発明は、床材を床支持材に確実に固定することができ、しかも、容易に固定することができる床構造および床固定部材に関するものである。
【０００２】
【従来の技術および発明が解決しようとする課題】
従来の床構造として、例えば、図１３に示すものがあった。この床構造は、床下に配線・配管材等の収容空間を形成するために、床材２１、２１が、基礎床面２２に立脚された支持脚２３、および床支持材としての根太材２４を介して、所定高さに支持されていた。このとき、床材２１は、その床材２１の凹溝２１ａに、根太材２４の突条部２４ａが嵌まるようにして、根太材２４に載置されるだけであって、その根太材２４に完全に固定されているわけではなかった。
【０００３】
したがって、この従来の床構造においては、施工が容易である利点はあったが、床材２１が根太材２４に固定されていないので、振動等の種々の外力により、床材２１が上方に浮き上がったり水平方向にずれたりする虞があった。また、床材２１に床用コンセントを取り付けた場合には、そのコンセントに差し込まれたプラグを抜き取ろうとするときに、床材２１が上方へ浮き上がる虞があった。
【０００４】
この発明は、上記した従来の欠点を解決するためになされたものであり、その目的とするところは、床材を床支持材に確実に固定することができ、しかも、容易に固定することができる床構造および床固定部材を提供することにある。
【０００５】
【課題を解決するための手段】
この発明に係る床構造および床固定部材は、前記目的を達成するために、次の構成からなる。すなわち、
【０００６】
【０００７】
請求項１に記載の発明に係る床構造は、基礎床面上に設置される床支持材と、その床支持材上に載置される床材と、その床材の上側からその床材に挿通されるネジ部材と、前記床材を前記床支持材に固定するための床固定部材とからなる。ここで、前記床材は、前記床支持材と当接する当接部を備えており、その当接部が前記床支持材に載せられるようにして、その床支持材に載置される。また、前記床固定部材は、前記床材に挿通された前記ネジ部材が螺合するネジ孔部と、前記床支持材の裏面と対向する対向部としての下部片と、前記ネジ部材のねじ込み前に前記床支持材の上面に載る上部片と、その上部片と前記下部片とを繋ぐ側部片とを備えて、それら上部片と下部片と側部片により断面略コの字形状に形成され、前記床支持材の側方からその床支持材に、前記断面略コの字の開口側を向けるようにして装着可能である。そして、前記ネジ孔部への前記ネジ部材のねじ込みにより、前記当接部と前記下部片とで前記床支持材を挟み込むように、前記床固定部材が上昇移動して、前記床材が前記床支持材に固定される。
【０００８】
つまり、床支持材上には、床材が載置され、その床材には、ネジ部材が挿通され、さらに、床材に挿通されたネジ部材は、床固定部材のネジ孔部に螺合する。そして、ネジ部材を床固定部材のネジ孔部へねじ込むと、床固定部材は、上昇移動して、その下部片が床支持材の裏面に当接し、その結果、床支持材に載せられた、床材の当接部と、床支持材の裏面に当接する、床固定部材の下部片とが、床支持材を上下方向で挟み込む。こうして、床材が、床固定部材およびネジ部材を介して、床支持材に固定される。このように、床支持材への床材の固定にあたって、床支持材は、床材と床固定部材とに挟み込まれるだけであり、その床支持材に、床材の固定のための特別の加工等を施す必要がない。
【０００９】
また、請求項２に記載の発明に係る床構造のように、前記床支持材は、根太材からなり、前記根太材は、本体部と、その本体部から上方に鉛直に延びて前記床材が載置される第１の突条部と、本体部の側面から側方に突出する第２の突条部とを備えており、前記上部片は、前記ネジ部材のねじ込み前に、前記第１の突条部の上面に載り、前記下部片は、前記第２の突条部の裏面と対向してもよい。
【００１０】
また、請求項３に記載の発明に係る床構造のように、前記床固定部材は、前記上部片の先端から折り曲げられて下方に若干延びる他の側部片を備え、前記ネジ部材のねじ込み前に、前記他の側部片が前記床支持材に係合して、前記上部片の前記他の側部片側および前記他の側部片は、前記床支持材に支持される被支持部となっていてもよい。これにより、この床固定部材のネジ孔部に、ネジ部材がねじ込まれていなくとも、この床固定部材は、被支持部が床支持材に支持されるように、その床支持材に組み付けられる。よって、この床固定部材が、床支持材から落下することはない。
【００１１】
【００１２】
また、請求項４に記載の発明に係る床固定部材は、基礎床面上に設置された床支持材と当接する当接部を備えており、その当接部が前記床支持材に載せられるようにして、その床支持材に載置される床材を、前記床支持材に固定するためのものである。すなわち、この床固定部材は、前記床材の上側からその床材に挿通されたネジ部材が螺合するネジ孔部と、前記床支持材の裏面と対向する対向部としての下部片と、前記ネジ部材のねじ込み前に前記床支持材の上面に載る上部片と、その上部片と前記下部片とを繋ぐ側部片とを備えて、それら上部片と下部片と側部片により断面略コの字形状に形成され、前記床支持材の側方からその床支持材に、前記断面略コの字の開口側を向けるようにして装着可能である。そして、床固定部材は、前記ネジ孔部への前記ネジ部材のねじ込みにより、前記当接部と前記下部片とで前記床支持材を挟み込むように上昇移動して、前記床材を前記床支持材に固定する。
【００１３】
つまり、床支持材上には、床材が載置され、その床材には、ネジ部材が挿通され、さらに、床材に挿通されたネジ部材は、この床固定部材のネジ孔部に螺合する。そして、ネジ部材をこの床固定部材のネジ孔部へねじ込むと、床固定部材は、上昇移動して、その下部片が床支持材の裏面に当接し、その結果、床支持材に載せられた、床材の当接部と、床支持材の裏面に当接する、床固定部材の下部片とが、床支持材を上下方向で挟み込む。こうして、床材が、床固定部材およびネジ部材を介して、床支持材に固定される。このように、床支持材への床材の固定にあたって、この床固定部材を使用することにより、床支持材は、床材とこの床固定部材とに挟み込まれるだけであり、床支持材に、床材の固定のための特別の加工等を施す必要がない。
【００１４】
【００１５】
また、請求項５に記載の発明に係る床固定部材のように、前記上部片の先端から折り曲げられて下方に若干延びる他の側部片を備え、前記ネジ部材のねじ込み前に、前記他の側部片が前記床支持材に係合して、前記上部片の前記他の側部片側および前記他の側部片は、前記床支持材に支持される被支持部となっていてもよい。これにより、この床固定部材のネジ孔部に、ネジ部材がねじ込まれていなくとも、この床固定部材は、被支持部が床支持材に支持されるように、その床支持材に組み付けられる。よって、この床固定部材が、床支持材から落下することはない。
【００１６】
【００１７】
【００１８】
【００１９】
【００２０】
【００２１】
【００２２】
【００２３】
【００２４】
【発明の実施の形態】
以下、この発明に係る床構造、床固定部材および床構造体の実施の形態を図面に基づいて説明する。
【００２５】
図１ないし図６は、本発明に係る床構造および床固定部材の第一の実施の形態を示す。図中符号１は、基礎床面、２は、その基礎床面１上に所定間隔をおいて互いに平行に設置される床支持材としての根太材である。３は、基礎床面１に立脚されて、受け部材４を介して、根太材２を支持する支持脚である。５は、その支持脚３を、基礎床面１に取り付けるための取付部材である。６は、根太材２に載置されることで、基礎床面１上に所定高さに支持されて、床下に配線・配管材等の収容空間Ｓを形成する、床材である。７は、その床材６を根太材２に固定するための床固定部材である。
【００２６】
ここで、根太材２は、例えば、アルミニウム合金を押出成形して得られる型材からなり、断面逆Ｕ字状からなる本体部２ａと、その本体部２ａから上方に鉛直に延びるように型材の長手方向全てに渡って併設され、それぞれに床材６が載置される第１の突条部２ｂ、２ｂと、本体部２ａの両側面から、それぞれ側方に突出して、断面略Ｌ字形状からなる第２の突条部２ｃ、２ｃとから構成されている。
【００２７】
受け部材４は、根太材２の下方から挿入されて、その本体部２ａの内側に嵌合するよう、その根太材２の長手方向に沿って長く延びる略直方体形状をしている。
【００２８】
支持脚３は、例えば、円柱状に形成され、その全周にネジが螺設されたボルト部材からなり、その上部が受け部材４のネジ孔（図示せず）と螺合することにより、受け部材４に取り付けられている。
【００２９】
取付部材５は、基礎床面１に固着される固着部５ａと、支持脚３の下部が挿入されて固定される保持筒５ｂとが、例えば、圧延鋼板等を絞り加工することにより一体に形成されている。固着部５ａは、略四角形状で平板状に形成されており、例えば、接着材により、その裏面が基礎床面１に固着される。一方、保持筒５ｂは、固着部５ａの中央から上方に突出するように円筒状に形成されている。そして、支持脚３が、保持筒５ｂに上方より挿入されて、止めネジ８が、その保持筒５ｂの内側に達するまでねじ込まれることで、支持脚３は、取付部材５に固定される。こうして、支持脚３は、取付部材５を介して基礎床面１に立脚されて、根太材２を、受け部材４を介して所定高さに支持している。
【００３０】
床材６は、本体６ａと、根太材２と当接する当接部となる緩衝部材６ｂ、６ｂとから構成されている。本体６ａは、例えば、圧延鋼板を曲げ加工して得られるものであり、根太材２、２間に架け渡されるように延びており、床を形成する床部６ｃと、その床部６ｃの幅方向の両端からそれぞれ下方に折り曲げられた側部６ｄ、６ｄとからなる。そして、床部６ｃには、その延びる方向の端部部分に、貫通孔としての長孔６ｅが、下方に向かうにつれて幅狭となるテーパー状に穿設されている。また、各側部６ｄには、その延びる方向の端部部分に、下方に向かって開口する凹部６ｆが形成されている。一方、緩衝部材６ｂは、合成ゴム等の弾性を備えたシート材からなり、断面略コの字形状に形成されて、側部６ｄの凹部６ｆに下方から嵌められて、側部６ｄを挟むようにして、例えば、両面粘着テープ等により貼り付けられている。そして、これら緩衝部材６ｂ、６ｂの下面が、根太材２の第１の突条部２ｂの上面２ｄに載置される。
【００３１】
床固定部材７は、本体７ａと、溶接ナット７ｂとから構成されている。本体７ａは、例えば、圧延鋼板を曲げ加工して得られるものであり、上部片７ｃと、その上部片の一方端（図１において左端）から折り曲げられて下方に若干延びる第１の側部片７ｄと、上部片７ｃの他方端（図１において右端）から折り曲げられて下方に延びる第２の側部片７ｅと、その第２の側部片７ｅの下端から折り曲げられて内側に延びて、根太材２の第２の突条部２ｃの裏面２ｅと対向する対向部としての下部片７ｆとからなる。また、上部片７ｃには、上下に貫通するように孔７ｇが穿設されている。そして、前記溶接ナット７ｂは、上部片７ｃの裏面側に、後述するネジ部材９が螺合する溶接ナット７ｂのネジ孔部７ｈが、孔７ｇと同心となるようにして、溶接されて取り付けられている。
【００３２】
次に、根太材２、床材６、床固定部材７および後述するネジ部材９からなる床構造の組み付け手順を、この床構造および床固定部材７の作用効果とともに説明する。初めに、図１および図２に示すように、基礎床面１上に設置された根太材２に、床固定部材７を載せるようにして組み付ける。つまり、床固定部材７の上部片７ｃの第１の側部片７ｄ側を、根太材２の第１の突条部２ｂの上面２ｄに載せ、床固定部材７の下部片７ｆを、根太材２の第２の突条部２ｃの裏面２ｅと対向するよう、その裏面２ｅの下方に配置する。このとき、床固定部材７の上部片７ｃの第１の側部片７ｄ側が、根太材２の上面２ｄに載るとともに、床固定部材７の第１の側部片７ｄが、根太材２の第１の突条部２ｂの内側面２ｆに係合して、これら上部片７ｃの第１の側部片７ｄ側および第１の側部片７ｄは、根太材２の第１の突条部２ｂに支持される被支持部７ｉとなっている。こうして、この床固定部材７のネジ孔部７ｈに、後述するネジ部材９を螺合させる前であっても、この床固定部材７は、被支持部７ｉが根太材２に支持されるように、その根太材２に組み付けられるので、床材６を組み付ける前であっても、この床固定部材７が、根太材２から落下することはない。
【００３３】
次いで、図３および図４に示すように、床材６を、根太材２の上面２ｄに載置する。つまり、床材６の床部６ｃで、床固定部材７を覆うとともに、床材６の両側部６ｄ、６ｄで、床固定部材７を挟むようにして、床材６の緩衝部材６ｂ、６ｂを、根太材２の上面２ｄに載せる。このとき、床材６の長孔６ｅは、床固定部材７のネジ孔部７ｈのちょうど真上に位置する。こうして、根太材２の上面２ｄには、床材６が載置され、また、根太材２の裏面２ｅには、床固定部材７の下部片７ｆが対向する。
【００３４】
次いで、図５および図６に示すように、皿小ネジからなるネジ部材９を、上側から床材６に挿通するように、長孔６ｅに挿入して、床材６（もしくは、その床部６ｃ）の下側において、床固定部材７のネジ孔部７ｈにねじ込む。このねじ込みにより、床固定部材７が上昇するように移動して、その床固定部材７の下部片７ｆが根太材２の裏面２ｅに当接し、床材６と床固定部材７とで根太材２を挟み込むようにして、床材６が根太材２に固定される。つまり、ネジ部材９を、上側から床材６の長孔６ｅに挿入して、床固定部材７のネジ孔部７ｈにねじ込むと、ネジ部材９の頭部９ａが床材６の長孔６ｅのテーパー状の内面に支持されながら、床固定部材７が上昇するように移動して、床固定部材７の下部片７ｆが根太材２の裏面２ｅに当接する。こうして、床材６の緩衝部材６ｂ、６ｂと床固定部材７の下部片７ｆとが根太材２を上下方向で挟み込み、その結果、床材６が、床固定部材７およびネジ部材９を介して、根太材２に確実に固定される。しかも、床材６と床固定部材７とが、根太材２を上下方向で挟み込むので、床材６の上方への浮き上がりを確実に防止することができる。また、根太材２への床材６の固定にあたって、根太材２は、床材６と床固定部材７とに挟み込まれるだけであり、その根太材２に、床材６の固定のための特別の加工等を施す必要がなく、また、その結果、床材６を、根太材２の長手方向の任意の位置に固定することができる。
【００３５】
このようにして、床材６は、根太材２に容易に固定され、しかも、ネジ部材９を床固定部材７のネジ孔部７ｈにねじ込む際に、前もって、床固定部材７は、根太材２に支持されているので、根太材２への床材６の固定は、一層容易である。また反対に、床材６を根太材２から取り外す場合は、ネジ部材９を緩めて、そのネジ部材９を床固定部材７のネジ孔部７ｈから外して、床材６を持ち上げればよく、その取り外しも容易である。
【００３６】
図７ないし図１２は、本発明に係る床構造、床固定部材および床構造体の第二の実施の形態を示す。この第二の実施の形態においては、予め、床構造体１１を構成する、床材１２、床固定部材１３およびネジ部材１４が互いに組み付けられているが、その他、床支持材としての根太材２、支持脚３、受け部材４、取付部材５は、第一の実施の形態と同一である。床材１２は、第一の実施の形態に示す床材６と同様に、床部１２ｃおよび側部１２ｄ、１２ｄからなる本体１２ａと、側部１２ｄ、１２ｄに形成された凹部１２ｆ、１２ｆに嵌められて、根太材２と当接する当接部となる緩衝部材１２ｂ、１２ｂとから構成されおり、根太材２に載置されることで、基礎床面１上に所定高さに支持されて、床下に配線・配管材等の収容空間Ｓを形成する。そして、床部１２ｃには、その延びる方向の端部部分に、第一の実施の形態に示す長孔６ｅの代わりに、貫通孔としての丸孔１２ｅが、下方に向かうにつれて径小となるテーパー状に穿設されている。また、床部１２ｃの下側には、丸孔１２ｅと同心的に下方に向かって延びるようにして、筒部１２ｇが形成されている。そして、筒部１２ｇは、この床材１２の延びる方向の一端部Ｔ側が全長に渡って開放しており、その開放部１２ｈの一方の内側面（図８において下側）および他方の内側面（図８において上側）は、それぞれ、後述する床固定部材１３を案内する、第１の案内部１２ｉおよび第２の案内部１２ｊとなっている。さらに、筒部１２ｇの下端は、第１の案内部１２ｉ側の第１の下面１２ｋと、第２の案内部１２ｊ側の第２の下面１２ｍとが、第１の下面１２ｋが下側位置となり、第２の下面１２ｍが上側位置となるように、段部１２ｎを介して段違いに形成されている。そして、第２の下面１２ｍは、段部１２ｎから第２の案内部１２ｊへ向かうにつれて徐々に上昇する傾斜面となっている（図９参照）。
【００３７】
床固定部材１３は、例えば、圧延鋼板を曲げ加工して得られるものであり、円形形状をして、床材１２の筒部１２ｇの内側に嵌合する上部片１３ａと、その上部片１３ａの周端から下方に段違いとなるように折り曲げられて延びて、床材１２の開放部１２ｈに嵌合可能な被案内片１３ｂと、その被案内片１３ｂの延びる先端から左右に広がるように延びて、根太材２の第２の突条部２ｃの裏面２ｅと対向可能な対向部としての下部片１３ｃとからなる。また、上部片１３ａには、その中心に、後述するネジ部材１４が螺合するネジ孔部１３ｄが螺設されている。
【００３８】
次に、根太材２、床材１２、床固定部材１３および後述するネジ部材１４からなる床構造の組み付け手順を、この床構造、床固定部材１３および床構造体１１の作用効果とともに説明する。初めに、図７ないし図９に示すように、床材１２と、床固定部材１３と、右ねじが螺設された皿小ネジからなるネジ部材１４とを互いに組み付けた床構造体１１を、根太材２の上面２ｄに載置する。ここで、床構造体１１は、ネジ部材１４が、床材１２の丸孔１２ｅに上側から挿入されることで、その床材１２に挿通され、床材１２（もしくは、床部１２ｃ）の下側において、床固定部材１３のネジ孔部１３ｄに螺合している。このとき、床固定部材１３は、上部片１３ａの一部が、筒部１２ｇの内側に嵌まり、下部片１３ｃが、床材１２の延びる方向の一端部Ｔ側とは反対側を向いている。つまり、床固定部材１３の被案内片１３ｂの上面が、筒部１２ｇの第２の下面１２ｍと対向するとともに、被案内片１３ｂの側面が、筒部１２ｇの段部１２ｎに当接している。この状態で、床材１２の緩衝部材１２ｂを、根太材２の第１の突条部２ｂの上面２ｄに載せるようにして、床構造体１１を根太材２に組み付ける。このとき、床材１２の筒部１２ｇが、根太材２の第２の突条部２ｃの側方に隣接するが、床固定部材１３の下部片１３ｃが、床材１２の延びる方向の一端部Ｔ側とは反対側を向いて、床固定部材１３は、下部片１３ｃが、根太材２の第２の突条部２ｃの裏面２ｅと対向しない、つまりは根太材２と上下方向において対向しない第１の位置にある。したがって、床固定部材１３を第１の位置にすることにより、床固定部材１３を床材１２に組み付けたまま、根太材２の第２の突条部２ｃと干渉することなく、床材１２を根太材２の上面２ｄに載置することができる。
【００３９】
次いで、図１０および図１１に示すように、ネジ部材１４をねじ込み方向（図１１において、反時計回り方向）へ回動すると、そのネジ部材１４と螺合する床固定部材１３が、床材１２の丸孔１２ｅ内にて回動するネジ部材１４とともに回動して、床固定部材１３の被案内片１３ｂの側面が床材１２の第１の案内部１２ｉに当接する。こうして、この第１の案内部１２ｉにより、床固定部材１３のそれ以上の回動が規制され、このとき、床固定部材１３の下部片１３ｃは、根太材２側を向くとともに、根太材２の第２の突条部２ｃの裏面２ｅと対向する。このように、床固定部材１３は、ネジ部材１４の回動に連動して、下部片１３ｃが根太材２の裏面２ｅと対向しない第１の位置と、下部片１３ｃが根太材２の裏面２ｅと対向する、つまりは根太材２と上下方向において対向する第２の位置との間を回動可能となっている。
【００４０】
次いで、図１２に示すように、さらにネジ部材１４をねじ込み方向へ回動すると、床固定部材１３の被案内片１３ｂが、第１の案内部１２ｉにより、回動が規制されることで、ネジ部材１４は、ネジ孔部１３ｄにねじ込まれる。そして、このネジ部材１４のねじ込みにより、ネジ部材１４の頭部１４ａが床材１２の丸孔１２ｅのテーパー状の内面に支持されながら、床固定部材１３は、その被案内片１３ｂが、第１の案内部１２ｉにより、第２の位置のまま上昇するように案内され、下部片１３ｃが根太材２の裏面２ｅに下方から当接する。こうして、床材１２の緩衝部材１２ｂ、１２ｂと床固定部材１３の下部片１３ｃとが根太材２を上下方向で挟み込み、その結果、床材１２が、床固定部材１３およびネジ部材１４を介して、根太材２に確実に固定される。しかも、床材１２と床固定部材１３とが、根太材２を上下方向で挟み込むので、床材１２の上方への浮き上がりを確実に防止することができる。
【００４１】
一方、床材１２を根太材２から取り外す場合は、ネジ部材１４を反ねじ込み方向へ回動する。この回動により、床固定部材１３は、その被案内片１３ｂが、第２の案内部１２ｊにより、回動が規制されて、第２の位置のまま、下降するように案内される。そして、床固定部材１３の下降によって、その被案内片１３ｂが、第２の案内部１２ｊから外れると（図１０、１１参照）、この床固定部材１３は、ネジ部材１４のさらなる反ねじ込み方向への回動により、ネジ部材１４の回動に連動して、第２の位置から第１の位置に回動する（図７参照）。こうして、床固定部材１３の下部片１３ｃが、根太材２の裏面２ｅとの対向から外れて、床材１２を、床構造体１１ごと、根太材２から取り外すことができる。
【００４２】
このように、床固定部材１３を床材１２に組み付けた床構造体１１の状態で、この床材１２を、根太材２に固定したり、根太材２から取り外したりすることができる。さらには、根太材２への床材１２の固定にあたって、根太材２は、床材１２と床固定部材１３とに挟み込まれるだけであり、その根太材２に、床材１２の固定のための特別の加工等を施す必要がなく、また、その結果、床材１２を、根太材２の長手方向の任意の位置に固定することができる。このようにして、床材１２は、根太材２に容易に固定される。
【００４３】
以上のように、第１および第２の実施の形態において、床材６、１２が根太材２に確実に固定されることで、床材６、１２に振動等の種々の外力が作用しても、床材６、１２が根太材２から離れて上方に浮き上がったり、水平方向にずれたりすることがない。さらに、床材６、１２に床用コンセントが取り付けられた場合であっても、そのコンセントに差し込まれたプラグを抜き取ろうとするときに、床材６、１２が根太材２から離れて上方へ浮き上がることもない。
【００４４】
なお、本発明は、上述した実施の形態に限定されるわけではなく、その他種々の変更が可能である。例えば、第１または第２の実施の形態に示す床構造は、床を形成する全ての床材に適用する必要はなく、固定が必要な一部の床材にのみ適用してもよい。また、この床構造の適用にあたっては、既設の床において、その一部の床材を取り替えるようにして、適用してもよい。また、床固定部材７、１３の下部片７ｆ、１３ｃが対向する根太材２の裏面は、第２の突条部２ｃの裏面２ｅでなくとも、根太材２の形状にあわせて、任意に選択することができる。また、床支持材は、根太材２の他に、支柱式の床支持材、つまりは、床材６、１２のコーナー部を支持するものであってもよく、その支持形態は、任意である。
【００４５】
【発明の効果】
以上、詳述したところから明らかなように、この発明に係る床構造および床固定部材によれば、次の効果がある。
【００４６】
請求項１および２に記載された床構造、並びに、請求項４に記載された床固定部材によれば、床支持材を、床材の当接部と床固定部材の下部片とで挟み込むことで、床材を床支持材に確実に固定することができる。しかも、ネジ部材を、床材の上側からその床材に挿通して床固定部材にねじ込むだけでよいので、床支持材に特別の加工等を施す必要がなく、したがって、床材を床支持材に容易に固定することができる。
【００４７】
また、床材の当接部と、床固定部材の下部片とが、床支持材を上下方向で挟み込むので、床材の上方への浮き上がりを確実に防止することができる。
【００４８】
また、請求項３に記載された床構造、および、請求項５に記載された床固定部材によれば、加えて、ネジ部材がねじ込まれていなくとも、床固定部材が床支持材に支持されるので、床材を床支持材に一層容易に固定することができる。
【００４９】
【００５０】
【図面の簡単な説明】
【図１】  この発明に係る床構造および床固定部材の第一の実施の形態を示すものであって、床固定部材を根太材に組み付けた状態の、一部を破断した正面図である。
【図２】  同じく、図１における、平面図である。
【図３】  同じく、床材を根太材に載置した状態の、一部を破断した正面図である。
【図４】  同じく、図３における、平面図である。
【図５】  同じく、床材を根太材に固定した状態の、一部を破断した正面図である。
【図６】  同じく、図５における、平面図である。
【図７】  この発明に係る床構造、床固定部材および床構造体の第二の実施の形態を示すものであって、床構造体を根太材に載置した状態の、一部を破断した正面図である。
【図８】  同じく、図７における、底面図である。
【図９】  同じく、図７における、Ａ矢視拡大図である。
【図１０】  同じく、床構造体を根太材に載置し、床固定部材を第２の位置にした状態の、一部を破断した正面図である。
【図１１】  同じく、図１０における、底面図である。
【図１２】  同じく、床構造体を根太材に固定した状態の、一部を破断した正面図である。
【図１３】  従来の床構造を示す、正面図である。
【符号の説明】
１  基礎床面                    ２  根太材（床支持材）
２ａ  本体部 ２ｂ  第１の突条部
２ｃ  第２の突条部 ２ｄ  上面
２ｅ  裏面                      ６  床材
６ｂ  緩衝部材（当接部）        ７  床固定部材
７ｃ  上部片 ７ｄ  第１の側部片（他の側部片）
７ｅ  第２の側部片（側部片）
７ｆ  下部片（対向部）          ７ｈ  ネジ孔部
７ｉ  被支持部                  ９  ネジ部材
【図１】
0003657109.tif 000002
【図２】
0003657109.tif 000003
【図３】
0003657109.tif 000004
【図４】
0003657109.tif 000005
【図５】
0003657109.tif 000006
【図６】
0003657109.tif 000007
【図７】
0003657109.tif 000008
【図８】
0003657109.tif 000009
【図９】
0003657109.tif 000010
【図１０】
0003657109.tif 000011
【図１１】
0003657109.tif 000012
【図１２】
0003657109.tif 000013
【図１３】
0003657109.tif 000014